(57)【要約】【課題】  本発明は、メンテナンス性を高め、本体側の内部配線と電源コードの接続部の安全性を高める電気掃除機を提供することを目的とする。【解決手段】上面に開口を有し、側面にホースを連結するホース接続部を有し、前記ホース接続部から吸い込まれる塵埃を溜める集塵タンクと、前記集塵タンクの上面開口部に着脱可能に連結され、上ケースと該上ケースの下部に設けられ前記集塵タンクに臨む吸気口を有するモータケースとの間に電動送風機を設けた本体ユニットと、前記集塵タンクと前記本体ユニットとの間に介在する気密パッキンと、を備え、前記本体ユニットに、前記電動送風機に電力を供給するための内部配線を設け、該内部配線と、外部より電力を供給するための電源コードとの接続が着脱可能となる接続部を有し、該接続部は、前記上ケースまたは前記モータケースの外側に位置し、該接続部を覆うコネクターケースを、前記上ケースまたは前記モータケースに固定する。【選択図】  図４
2014226398.tif 000002
【特許請求の範囲】
【請求項１】
上面に開口を有し、側面にホースを連結するホース接続部を有し、前記ホース接続部から吸い込まれる塵埃を溜める集塵タンクと、前記集塵タンクの上面開口部に着脱可能に連結され、上ケースと該上ケースの下部に設けられ前記集塵タンクに臨む吸気口を有するモータケースとの間に電動送風機を設けた本体ユニットと、前記集塵タンクと前記本体ユニットとの間に介在する気密パッキンと、を備え、前記本体ユニットに、前記電動送風機に電力を供給するための内部配線を設け、該内部配線と、外部より電力を供給するための電源コードとの接続が着脱可能となる接続部を有し、該接続部は、前記上ケースまたは前記モータケースの外側に位置し、該接続部を覆うコネクターケースを、前記上ケースまたは前記モータケースに固定することを特徴とする電気掃除機。
【請求項２】
請求項１に記載の電気掃除機において、前記コネクターケースを難燃性材料にて形成することを特徴とする電気掃除機。
【請求項３】
請求項１又は２に記載の電気掃除機において、前記コネクターケースを、前記上ケースもしくは前記モータケースとは別体のカバー体にて覆うことを特徴とする電気掃除機。
【請求項４】
請求項１又は２に記載の電気掃除機において、前記コネクターケースを、前記上ケース上部に別体にて取付けた着脱可能な把手にて覆うことを特徴とする電気掃除機。
【請求項５】
請求項１乃至４の何れか１項に記載の電気掃除機において、前記コネクターケース内側の底面部に、リブを設けたことを特徴とする電気掃除機。
【請求項６】
請求項１乃至４の何れか１項に記載の電気掃除機において、前記コネクターケース内側の側面部に、前記接続部の一端部が近接するようにリブを設けたことを特徴とする電気掃除機。
【発明の詳細な説明】
【技術分野】
【０００１】
本発明は電気掃除機に係り、特に電動送風機と集塵部を上下配置にし、電動送風機を内蔵した本体ユニットと集塵部を形成する集塵タンクとが着脱可能な電気掃除機に関する。
【背景技術】
【０００２】
従来、特許文献１に記載のように、電動送風機側の内部配線と電源コードとの接続は、上ケース内やモータケース内にて行われていた。このような電気掃除機において、使用者が誤って飲料水等をこぼしたとしても、接続部に水が浸入することがなく、安全性が高いというメリットがあった。
【０００３】
また、特許文献２に記載のように、上ケース上面にソケットを設け、電源コード端末にプラグを設け、図９に示すように、電源コードを着脱可能としたものもある。このような電気掃除機において、電源コードが断線などで交換必要となった場合、電源コードの交換は容易であり、メンテナンス性が向上するというメリットがあった。
【０００４】
また、特許文献３に記載のように、上ケースに把手部外観形状を兼ねた保護カバーを設け、図１０に示すように着脱可能あるいは固定となるよう電源コードのプラグ部を覆ったものもある。このような電気掃除機において、電源コードの交換が容易に行え、更に使用者が誤って飲料水等をこぼしたとしても直接水がかかりにくく、安全性が高いというメリットがあった。
【先行技術文献】
【特許文献】
【０００５】
【特許文献１】特開平６−１０５７８２号公報
【特許文献２】特許第２６５６６３３号公報
【特許文献３】特開平１１−２０６６５８号公報
【発明の概要】
【発明が解決しようとする課題】
【０００６】
例えば、上記特許文献１に示されるような従来の電気掃除機において、電源コードを交換するためには、電動送風機側の内部配線と、電源コードの接続部まで分解する必要があった。つまり、上ケースやモータケースを分解する必要があり、メンテナンスが容易ではなかった。
【０００７】
また、上記特許文献２に示されるような従来の電気掃除機においては、メンテナンス性は良好であるが、水かかりや塵埃の堆積などの安全性が高くないという恐れがあった。
【０００８】
また、上記特許文献３に示されるような従来の電気掃除機においては、メンテナンス性と安全性が改善されつつも、電源コード側の隙間から充電部への水侵入や塵埃の浸入の恐れや、電源コードプラグに過度の引張り力が加えられた場合、プラグやソケットの刃の変形や破損などの恐れがあった。
【０００９】
本発明は、メンテナンス性を高め、本体側の内部配線と電源コードの接続部の安全性を高めることを目的とする。
【課題を解決するための手段】
【００１０】
本発明は前記種々の問題点に鑑みてなされたもので、上面に開口を有し、側面にホースを連結するホース接続部を有し、前記ホース接続部から吸い込まれる塵埃を溜める集塵タンクと、前記集塵タンクの上面開口部に着脱可能に連結され、上ケースと該上ケースの下部に設けられ前記集塵タンクに臨む吸気口を有するモータケースとの間に電動送風機を設けた本体ユニットと、前記集塵タンクと前記本体ユニットとの間に介在する気密パッキンと、を備え、前記本体ユニットに、前記電動送風機に電力を供給するための内部配線を設け、該内部配線と、外部より電力を供給するための電源コードとの接続が着脱可能となる接続部を有し、該接続部は、前記上ケースまたは前記モータケースの外側に位置し、該接続部を覆うコネクターケースを、前記上ケースまたは前記モータケースに固定することを特徴とする。
【発明の効果】
【００１１】
上記本発明の電気掃除機は、メンテナンス性を高め、本体側の内部配線と電源コードの接続部の安全性を高める電気掃除機を提供することができる。
【図面の簡単な説明】
【００１２】
【図１】本発明の実施形態に係る電気掃除機の外観斜視図である。
【図２】本発明の実施形態に係る電気掃除機の分解斜視図である。
【図３】本発明の実施形態に係る接続部とコネクターケースの組立て断面図である。
【図４】本発明の実施形態に係る断面図である。
【図５】本発明の実施形態に係る本体ユニットの分解斜視図である。
【図６】本発明の実施形態に係る把手の外観斜視図である。
【図７】本発明の実施形態に係る平面断面図である。
【発明を実施するための形態】
【００１３】
以下、本発明の一実施形態に係る電気掃除機の実施形態を図１〜図７を用いて説明する。
【００１４】
図１は、図１は本発明の実施形態に係る電気掃除機１００の外観斜視図である。
【００１５】
図１において、４０は吸口体、４１は延長管、４２はホース、２は集塵タンク、７は本体ユニット、１１は車輪ベース、１０は走行用車輪、１４は電源コードである。
【００１６】
集塵タンク２は、上面に開口を有する筒形状の部材であり、側面にホース４２を連結するホース接続部１を有している。集塵タンク２の下部には車輪ベース１１が取り付けられている。車輪ベース１１の下部には走行用車輪１０が取り付けられている。
【００１７】
なお、集塵タンク２の形状は、図１に示すように、略箱型筒形状でも良いし、略円筒形状でも良い。また、材質はＡＢＳやＰＰなどの合成樹脂製の他、ティンフリースチールなどの金属製でも良い。
【００１８】
本体ユニット７は、上ケース１２と、上ケース１２の下部に取り付けられるモータケース２４（図２参照）と、上ケース１２とモータケース２４とで作られる空間に配置される電動送風機６（図４参照）と、本体ユニット７と集塵タンク２との間の気密を取る気密パッキン８と、上ケース１２の上部に取り付けられる把手３と、上ケース１２の後部に取り付けられるコードブッシュ１６と、コードブッシュ１６内を連通する電源コード１４と、上ケース１２の前部に取り付けられ集塵タンク２との係止可能であるクランプ２６と、を有している。
【００１９】
本体ユニット７は、集塵タンク２の上面の開口に、クランプ２６にて着脱可能に連結される。
【００２０】
把手３は、電気掃除機１００を移動する際や、集塵タンク２内に溜まった塵埃を排出するため、本体ユニット７を取り外す際などに使用される。
【００２１】
図２は本発明の実施形態に係る電気掃除機の分解斜視図である。図２には、使用者がクランプ２６を解除し、把手３を持ち本体ユニット７を取り外し、集塵ユニット２内に配設された集塵フィルタ９を取り出す際の状態を示す。
【００２２】
集塵フィルタ９の材質には、紙やメルトブロー、布などの素材が使用される。９ａは集塵フィルタ９における口板である。口板９ａは開口部を有しており、集塵フィルタ９を集塵ユニット内に配設した状態で開口部とホース接続部１とが連通する。集塵フィルタ９は、モータケース２４の下方に設けられ、集塵タンク２に吸い込まれた塵埃が、モータケース２４に設けられた吸気口５を通って電動送風機側へ侵入するのを阻止するとともに塵埃を捕塵する役割を果たす。
【００２３】
図３は、本発明の実施形態に係る接続部とコネクターケースの組立て断面図を示す図である。
【００２４】
図３において、１３は電動送風機６側の内部配線２５に接続されている着脱可能な内部配線側接続部、１５は電源コード１４側に接続されている着脱可能な電源コード側接続部、１４ａは電源コード１４の絶縁体、１７はコネクターケース(Ｂ)、１９はコネクターケース（Ｂ）１７を係止するコネクターケース（Ｂ）係止用ねじ、１８はコネクターケース（Ｕ）、２０はコネクターケース（Ｕ）１８を係止するコネクターケース（Ｕ）係止用ねじである。
【００２５】
内部配線２５の一端は上ケース１２とモータケース２４で作られる空間に配置される電動送風機６に接続されている。つまり、内部配線２５の一端は上ケース１２とモータケース２４で作られる空間に位置している。内部配線２５の他端は上ケース１２やモータケース２４の外側に位置しており、内部配線２５の他端には内部配線側接続部１３が設けられている。
【００２６】
電源コード１４の一端にはコンセントに差し込むための電源プラグ１４ｂ(図２参照)が設けられている。電源コード１４の他端には電源コード側接続部１５が設けられている。
【００２７】
内部配線側接続部１３と電源コード側接続部１５とが接続されており、電源プラグ１４ｂをコンセントに差し込むことで電動送風機へと外部より電力が供給される。
【００２８】
ここで、内部配線側接続部１３はメス形状のコネクタであり内部配線２５側に設けられ、電源コード側接続部１５はオス形状のコネクタであり電源コード１４側に取付けられている。ただし、それぞれの形状を逆に取付けても良い。
【００２９】
本実施例では内部配線側接続部１３および電源コード側接続部１５に、着脱可能な中継タイプコネクターを用いている。
【００３０】
接続された内部配線側接続部１３および電源コード側接続部１５を覆うためにコネクターケース（Ｂ）１７とコネクターケース（Ｕ）１８と、が用いられる。
【００３１】
本実施形態においては、コネクターケース（Ｂ）１７を、上ケース１２にコネクターケース（Ｂ）係止用ねじ１９で係止する。
【００３２】
次にコネクターケース（Ｂ）１７の内側に内部配線側接続部１３および電源コード側接続部１５を挿入し、内部配線側接続部１３および電源コード側接続部１５を覆うようにコネクターケース（Ｕ）１８をかぶせ、コネクターケース(Ｂ)１７と（Ｕ）１８とともに上ケース１２にコネクターケース（Ｕ）係止用ねじ２０にてねじ止めする。
【００３３】
ここでコネクターケース（Ｂ）１７とコネクターケース（Ｕ）１８をねじ止めするものは、上ケース１２でなくモータケース２４でもよい。
【００３４】
本構造により、電源コード１４の破損により交換が必要となった場合や、電源が入らないなどの不具合に対しメンテナンスが必要となった場合に、コネクターケース（Ｕ）係止用ねじ２０を取外すだけで電源コード１４を内部配線２５から取外すことが可能となり、電源コード１４単品での導通検査や本体ユニット７内部の故障診断を容易に行うことが可能となる。
【００３５】
コネクターケース（Ｂ）係止用ねじ１９、コネクターケース（Ｕ）係止用ねじ２０を着脱するためのねじ頭の形状は、星型などの特殊ねじを用いてもよい。
【００３６】
また、内部配線側接続部１３および電源コード側接続部１５はコネクターケース（Ｂ）１７及びコネクターケース（Ｕ）１８にて覆われているため、使用者が誤って飲料水等をこぼしたとしてもコネクターケース内への水侵入を抑制でき、内部配線側接続部１３および電源コード側接続部１５が水に接する恐れを減らすことができ、接続部の安全性を向上することが可能となる。
【００３７】
更に、図３に示すように、コネクターケース（Ｂ）１７の底部形状を、ねじボス付近のみ上ケース１２に当接させて内部配線側接続部１３および電源コード側接続部１５の近傍をコネクターケース（Ｂ）１７の底部より浮かせることにより、水の浸漬を防止する効果が得られる。
【００３８】
なお、コネクターケース（Ｂ）１７内側の底面部に接続部１３、１５が接触しないようリブ１８ｃを設けることにより、万が一コネクターケース（Ｂ）１７に水が浸漬したとしても接続部１３，１５に浸漬することを防止するという効果が得られる。
【００３９】
また、中継タイプコネクターを採用することにより、本体にソケット取付け用穴などを形成する必要がなく、接続部を小型化することが可能となる。
【００４０】
本実施形態において、コネクターケース（Ｂ）１７、コネクターケース（Ｕ）１８をフェノール樹脂やＰＰＳ（ポリフェニレンサルファイド）などの難燃性材料で形成している。これにより、万一接続部内にて接触不良等による影響を低減することが可能となり、更に安全性を向上することが可能となる。
【００４１】
内部配線側接続部１３、電源コード側接続部１５、コネクターケース（Ｂ）１７、コネクターケース（Ｕ）１８、コネクターケース（Ｂ）係止用ねじ１９、コネクターケース（Ｕ）係止用ねじ２０を覆うように着脱可能なカバー体で覆う構造とする。カバー体を係止する部材は、ヒンジやねじ止めなどが用いられる。着脱可能なカバー体を上ケース１２や集塵タンク２とは別体とすることで、難燃性材料では表現できなかった色相やデザインなどを盛込むことが可能となり、意匠性を向上することが可能となる。カバー体に使用する材料は、上ケース１２やモータケース２４同様のＡＢＳなどが適用できる。本実施形態においては、カバー体は把手３である。
【００４２】
図４は本実施例の断面図、図５は本実施例の本体ユニット分解斜視図、図６は本実施例の把手外観斜視図を示す図、図７は図５の平面断面図である。
【００４３】
図４は本発明の実施形態に係る断面図である。図５は本発明の実施形態に係る本体ユニットの分解斜視図である。図６は本発明の実施形態に係る把手の外観斜視図である。
【００４４】
図４において、３は上ケース上部に設けられた把手、３ａは上ケース１２に係止するためのハンドル３の一端に設けられたフック部、３１は把手３を上ケース１２に係止するための把手係止用ねじ、電動送風機６側の内部配線２５は上ケース１２の内側から外側に引出され、電力を供給する電源コード１４と内部配線側接続部１３および電源コード側接続部１５にて着脱可能となる。更に内部配線側接続部１３、電源コード側接続部１５、コネクターケース（Ｂ）１７、（Ｕ）１８、コネクターケース（Ｂ）係止用ねじ１９、コネクターケース（Ｕ）係止用ねじ２０を覆うことが可能なように、把手３の一部に空間３ｄを設ける。３ｃは電源コード１４を引き出す把手開口である。
【００４５】
なお、カバー体を把手３と別体で設けることにより、意匠性を更に高めることが可能となる。
【００４６】
２１は、パッキンである。
【００４７】
図７は本発明の実施形態に係る平面断面図である。
【００４８】
図７に示すように、電源コード１４にコードブッシュ１６を取付け、本体ケース１２に設けた溝部にコードブッシュリブ１６ａを挿入し、図６に示す電源コード押さえリブ３ｂで電源コード１４のコードブッシュ１６より先端側を押さえることにより、使用時にコードブッシュ１６に強い引張り力が加わったとしても接続部に過度の力が作用することがなく耐久性を向上することが可能となる。
【００４９】
２３は上ケース係止用ねじである。
【００５０】
コネクターケース（Ｂ）１７内側の側面部に接続部端面１３ａ、１５ａに近接するようリブ１８ｂを設けることにより、万が一メンテナンス作業者が接続部１３、１５を半挿入など不完全な形態でコネクターケース（Ｂ）１７に挿入したとしても接続部端面１３ａ、１５ａにリブ１８ｂが当接し完全な挿入となり、接触不良の原因となる半挿入を回避することが可能となる。更にリブ１８ｂは接続部１３、１５の抜止め防止となり、更に安全性を向上することが可能となる。
【符号の説明】
【００５１】
１  ホース接続部
２  集塵タンク
３  把手
５  吸気口
６  電動送風機
７  本体ユニット
８  気密パッキン
９  集塵フィルタ
１０  走行用車輪
１１  車輪ベース
１２  上ケース
１３  内部配線側接続部
１４  電源コード
１５  電動送風機側接続部
１６  コードブッシュ
１７  コネクターケース（Ｂ）
１８  コネクターケース（Ｕ）
１９  コネクターケース（Ｂ）係止用ねじ
２０  コネクターケース（Ｕ）係止用ねじ
２１  パッキン
２３  上ケース係止用ねじ
２４  モータケース
２５  内部配線
２６  クランプ
３１  把手係止用ねじ
４０  吸口体
４１  延長管
４２  ホース
１００電気掃除機
【図１】
2014226398.tif 000003
【図２】
2014226398.tif 000004
【図３】
2014226398.tif 000005
【図４】
2014226398.tif 000006
【図５】
2014226398.tif 000007
【図６】
2014226398.tif 000008
【図７】
2014226398.tif 000009